(57)【要約】【課題】ネットワークに接続されている複数の装置の状態を簡便な操作で確認することができる装置管理システムを提供する。【解決手段】複数の被管理装置の状態を管理する装置管理システムであって、可搬型端末と１０、サーバ３０と、端末位置情報取得手段２０と、端末方向情報取得手段１０と、複数の被管理装置の位置情報及び管理情報が保存されている記憶部３１と、複数の被管理装置の位置情報、可搬型端末の位置情報及び方向情報に基づいて、可搬型端末が、複数の被管理装置のうちの、いずれかの被管理装置に向けられているか否かを判断する指向判断手段３２と、可搬型端末が、複数の被管理装置のうちの、いずれかの被管理装置に向けられていると指向判断手段が判断した場合に、該被管理装置を指向被管理装置とし、該指向被管理装置に関する管理情報を前記可搬型端末に送信する管理情報送信手段３３を備える。【選択図】図１
2014202653.tif 000002
【特許請求の範囲】
【請求項１】
ネットワークに接続された複数の被管理装置の状態を管理する装置管理システムであって、
a) 前記ネットワークに接続可能な可搬型端末と、
b) 前記ネットワークに接続されたサーバと、
c) 前記ネットワークに接続され、該ネットワークに接続された状態にある前記可搬型端末の位置情報を取得する端末位置情報取得手段と、
d) 前記ネットワークに接続され、該ネットワークに接続された状態にある前記可搬型端末が向けられている方向に関する方向情報を取得する端末方向情報取得手段と、
e) 前記サーバに設けられ、前記複数の被管理装置の位置情報及び管理情報が保存されている記憶部と、
f) 前記サーバに設けられ、前記複数の被管理装置の位置情報、前記可搬型端末の位置情報及び方向情報に基づいて、前記可搬型端末が、前記複数の被管理装置のうちの、いずれかの被管理装置に向けられているか否かを判断する指向判断手段と、
g) 前記サーバに設けられ、前記可搬型端末が、前記複数の被管理装置のうちの、いずれかの被管理装置に向けられていると前記指向判断手段が判断した場合に、該被管理装置を指向被管理装置とし、該指向被管理装置に関する管理情報を前記可搬型端末に送信する管理情報送信手段と
を備えることを特徴とする装置管理システム。
【請求項２】
前記端末位置情報取得手段が、三角測量を行うことにより前記可搬型端末の位置情報を取得するものであることを特徴とする請求項１に記載の装置管理システム。
【請求項３】
ネットワークに接続された複数の被管理装置の状態を管理する装置管理システムであって、
a) 前記ネットワークに接続可能な可搬型端末と、
b) 前記ネットワークに接続されたサーバと、
c) 前記ネットワークに接続され、前記複数の被管理装置と前記可搬型端末の相互位置情報を取得する相互位置情報取得手段と、
d) 前記ネットワークに接続され、該ネットワークに接続された状態にある前記可搬型端末が向けられている方向に関する方向情報を取得する端末方向情報取得手段と、
e) 前記サーバに設けられ、前記複数の被管理装置の管理情報が保存されている記憶部と、
f) 前記サーバに設けられ、前記相互位置情報、前記可搬型端末の方向情報に基づいて、前記可搬型端末が、前記複数の被管理装置のうちの、いずれかの被管理装置に向けられているか否かを判断する指向判断手段と、
g) 前記サーバに設けられ、前記指向判断手段が、前記可搬型端末が、前記複数の被管理装置のうちの、いずれかの被管理装置に向けられていると判断した場合に、該被管理装置を指向被管理装置とし、該指向被管理装置に関する管理情報を前記可搬型端末に送信する管理情報送信手段と
を備えることを特徴とする装置管理システム。
【請求項４】
前記相互位置情報取得手段が、前記複数の被管理装置を視野内に捉えることができる位置に配置され、該複数の被管理装置と可搬型端末を同時に捉えることにより、時々刻々と変化するそれらの相互位置情報をリアルタイムで取得するモーションセンサを有することを特徴とする請求項３に記載の装置管理システム。
【請求項５】
前記端末方向情報取得手段が、方位センサ、及び加速度センサを備えた前記可搬型端末であることを特徴とする請求項１から４のいずれかに記載の装置管理システム。
【請求項６】
前記指向判断手段が、前記可搬型端末が、前記複数の被管理装置のうちの、いずれかの被管理装置に向けられていると判断した場合に、さらに、前記可搬型端末から前記指向被管理装置までの距離を併せて判断し、前記管理情報送信手段が、前記距離が近いほど、より詳細な管理情報を前記可搬型端末に送信することを特徴とする請求項１から５のいずれかに記載の装置管理システム。
【請求項７】
h) 前記可搬型端末に設けられ、前記管理情報送信手段から前記指向被管理装置に関する管理情報を受信すると、前記サーバの記憶部又は前記可搬型端末の記憶部に予め保存されている前記指向被管理装置の画像を読み出し、該画像と該指向被管理装置に関する管理情報とを重ね合わせて前記可搬型端末の画面上に表示させる被管理装置画像表示手段
を備えることを特徴とする請求項１から６のいずれかに記載の装置管理システム。
【請求項８】
ネットワークに接続可能な可搬型端末を用いて、該ネットワークに接続された複数の被管理装置の状態を管理する装置管理方法であって、
a) 前記複数の被管理装置の位置情報を取得する装置位置情報取得ステップと、
b) 前記ネットワークに接続された状態にある前記可搬型端末の位置情報を取得する端末位置情報取得ステップと、
c) 前記ネットワークに接続された状態にある前記可搬型端末が向けられている方向に関する方向情報を取得する端末方向情報取得ステップと、
d) 前記複数の被管理装置の位置情報、前記可搬型端末の位置情報及び方向情報に基づき、前記可搬型端末が、前記複数の被管理装置のうちの、いずれかの被管理装置に向けられているか否かを判断する指向判断ステップと、
e) 前記指向判断ステップにおいて、前記可搬型端末が、前記複数の被管理装置のうちの、いずれかの被管理装置に向けられていると判断した場合に、該被管理装置を指向被管理装置とし、該指向被管理装置に関する管理情報を前記可搬型端末に送信する管理情報送信ステップと
を備えることを特徴とする装置管理方法。
【請求項９】
ネットワークに接続可能な可搬型端末を用いて、該ネットワークに接続された複数の被管理装置の状態を管理する装置管理方法であって、
a) 前記複数の被管理装置と前記可搬型端末の相互位置情報を取得する相互位置情報取得ステップと、
b) 前記ネットワークに接続された状態にある前記可搬型端末が向けられている方向に関する方向情報を取得する端末方向情報取得ステップと、
c) 前記相互位置情報、前記可搬型端末の方向情報に基づいて、前記可搬型端末が、前記複数の被管理装置のうちの、いずれかの被管理装置に向けられているか否かを判断する指向判断ステップと、
d) 前記指向判断ステップにおいて、前記可搬型端末が、前記複数の被管理装置のうちの、いずれかの被管理装置に向けられていると判断した場合に、該被管理装置を指向被管理装置とし、該指向被管理装置に関する管理情報を前記可搬型端末に送信する管理情報送信ステップと
を備えることを特徴とする装置管理方法。
【発明の詳細な説明】
【技術分野】
【０００１】
本発明は、ネットワークに接続された分析装置等の装置を管理するために用いられる装置管理システム、及び装置管理方法に関する。
【背景技術】
【０００２】
試料の各種特性を調査するシステムでは、複数の分析装置が使用されることが多い。このような場合に、分析装置の使用者が各分析装置の動作状況を確認するためのシステムとして、例えば特許文献１に記載の分析システムが提案されている。
【０００３】
特許文献１に記載のシステムでは、ネットワークに接続された複数の分析装置の動作状況に関する情報を収集・統合してサーバ上にWebコンテンツを作成し、ネットワークに接続可能な使用者の端末の画面上にそのWebコンテンツを表示させる。使用者は、該Webコンテンツを閲覧することによって、複数の分析装置の動作状況を確認する。
【先行技術文献】
【特許文献】
【０００４】
【特許文献１】特開2004-85356号公報
【発明の概要】
【発明が解決しようとする課題】
【０００５】
特許文献１に記載の分析システムでは、使用者の端末の画面上にネットワークに接続されている複数の分析装置の名称やIDなどが全て表示される。そして、使用者は、それらの中から、動作状態を確認する対象の装置を選択する。このとき、複数の分析装置の中から確認の対象である装置を選択するには、装置の名称やIDなどを順に確認しなければならず、手間がかかる。特に、大規模な分析システムでは、同一機種の分析装置が複数設置されていることが多いため、複数の同一機種の分析装置の中から確認の対象である分析装置を特定することが難しい。ここでは、分析システムを一例として挙げたが、工場などのプラントにおける種々の分析装置や測定装置、製品の製造装置に関しても同様の問題がある。
【０００６】
本発明が解決しようとする課題は、ネットワークに接続されている複数の装置の状態を簡便な操作で確認することができる装置管理システムを提供することである。
【課題を解決するための手段】
【０００７】
上記課題を解決するために成された本発明は、ネットワークに接続された複数の被管理装置の状態を管理する装置管理システムであって、
a) 前記ネットワークに接続可能な可搬型端末と、
b) 前記ネットワークに接続されたサーバと、
c) 前記ネットワークに接続され、該ネットワークに接続された状態にある前記可搬型端末の位置情報を取得する端末位置情報取得手段と、
d) 前記ネットワークに接続され、該ネットワークに接続された状態にある前記可搬型端末が向けられている方向に関する方向情報を取得する端末方向情報取得手段と、
e) 前記サーバに設けられ、前記複数の被管理装置の位置情報及び管理情報が保存されている記憶部と、
f) 前記サーバに設けられ、前記複数の被管理装置の位置情報、前記可搬型端末の位置情報及び方向情報に基づいて、前記可搬型端末が、前記複数の被管理装置のうちの、いずれかの被管理装置に向けられているか否かを判断する指向判断手段と、
g) 前記サーバに設けられ、前記可搬型端末が、前記複数の被管理装置のうちの、いずれかの被管理装置に向けられていると前記指向判断手段が判断した場合に、該被管理装置を指向被管理装置とし、該指向被管理装置に関する管理情報を前記可搬型端末に送信する管理情報送信手段と
を備えることを特徴とする。
【０００８】
前記端末位置情報取得手段は、例えば、超音波や無線通信を利用して三角測量を行ったり、レーザー光やカメラを利用して環境計測を行うことにより前記可搬型端末の位置を決定する機器や、GPS衛星信号の計測やレーザー光やカメラ画像を利用して環境計測を行うことにより位置情報を取得可能な前記可搬型端末そのものとすることができる。
前記端末方向情報取得手段は、例えば、水平方向の方位角を得るための方位センサ及び鉛直方向（重力方向）に対する傾斜角を得るための加速度センサ、或いは、レーザー光やカメラを利用して環境計測を行う機能を備えることにより、三次元空間における方向情報を取得可能な前記可搬型端末そのものとすることができる。
被管理装置の管理情報には、該被管理装置の動作状況に関する情報のほか、消耗品交換情報、操作手順に関する情報、及びヘルプ情報も含まれる。また、被管理装置が複数のコンポーネントを有している場合には、被管理装置の管理情報には、各コンポーネントの管理情報等が含まれる。従って、前記管理情報送信手段が送信する、指向被管理装置に関する管理情報を、該指向被管理装置が有するコンポーネントの管理情報としてもよい。
【０００９】
本発明に係る装置管理システムでは、可搬型端末が複数の被管理装置のうちの、いずれかの被管理装置に向けられていると指向判断手段が判断すると、管理情報送信手段はその被管理装置を指向被管理装置とし、該指向被管理装置の管理情報を可搬型端末に送信する。つまり、使用者は、確認の対象とする被管理装置に可搬型端末を向けるという簡便な操作により、該可搬型端末上でその被管理装置に関する管理情報を確認することができる。
【００１０】
上記課題を解決するために成された本発明の別の態様は、
a) 前記ネットワークに接続可能な可搬型端末と、
b) 前記ネットワークに接続されたサーバと、
c) 前記ネットワークに接続され、前記複数の被管理装置と前記可搬型端末の相互位置情報を取得する相互位置情報取得手段と、
d) 前記ネットワークに接続され、該ネットワークに接続された状態にある前記可搬型端末が向けられている方向に関する方向情報を取得する端末方向情報取得手段と、
e) 前記サーバに設けられ、前記複数の被管理装置の管理情報が保存されている記憶部と、
f) 前記サーバに設けられ、前記相互位置情報、前記可搬型端末の方向情報に基づいて、前記可搬型端末が、前記複数の被管理装置のうちの、いずれかの被管理装置に向けられているか否かを判断する指向判断手段と、
g) 前記サーバに設けられ、前記指向判断手段が、前記可搬型端末が、前記複数の被管理装置のうちの、いずれかの被管理装置に向けられていると判断した場合に、該被管理装置を指向被管理装置とし、該指向被管理装置に関する管理情報を前記可搬型端末に送信する管理情報送信手段と
を備えることを特徴とする。
【００１１】
前記相互位置情報取得手段は、例えば、カメラ機能を有する可搬型端末により撮影された、前記複数の被管理装置のうちの、いずれかの被管理装置の画像を受信し、該画像を解析して可搬型端末と該被管理装置の相互位置情報を取得するものとすることができる。この場合には、相互位置情報取得手段を前記サーバ内や前記可搬型端末内に設けることができる。あるいは、前記複数の被管理装置を視野内に捉えることができる位置に配置され、該複数の被管理装置と可搬型端末を同時に捉えることにより、時々刻々と変化するそれらの相互位置情報をリアルタイムで取得するモーションセンサとしてもよい。将来的には可搬型端末自体にモーションセンサ機能が搭載されることが考えられる。こうした場合には、前記相互位置情報取得手段及び端末方向情報取得手段を可搬型端末とし、該可搬型端末が有するモーションセンサにより相互位置情報及び端末方向情報を取得するようにしてもよい。
【００１２】
この態様の装置管理システムにおいても、可搬型端末がいずれかの被管理装置に向けられていると指向判断手段が判断すると、管理情報送信手段はその被管理装置を指向被管理装置とし、該指向被管理装置に関する管理情報を可搬型端末に送信する。従って、使用者は、確認の対象とする被管理装置に可搬型端末を向けるという簡便な操作により、該可搬型端末上でその被管理装置の管理情報を確認することができる。
【００１３】
上記いずれの態様の装置管理システムにおいても、前記指向判断手段が、前記可搬型端末が、前記複数の被管理装置のうちの、いずれかの被管理装置に向けられていると判断した場合に、さらに、前記可搬型端末から前記指向被管理装置までの距離を併せて判断し、前記管理情報送信手段が、前記距離が近いほど、より詳細な管理情報を前記可搬型端末に送信するように構成することが望ましい。
【００１４】
この態様の装置管理システムでは、指向判断手段及び管理情報送信手段は、例えば、以下のように動作する。
可搬型端末から指向被管理装置までの距離が遠い場合には、管理情報送信手段が、該１台の被管理装置に関する管理情報の概要（装置の動作の正常／異常等）を可搬型端末に送信する。可搬型端末から指向被管理装置までの距離が近くなり、指向判断手段が、可搬型端末がある１台の被管理装置が有する１つのコンポーネントに向けられていると判断した場合には、管理情報送信手段が、該１つのコンポーネントに関する詳細な管理情報（消耗品交換情報等）を可搬型端末に送信する。
また、この態様の装置管理システムでは、可搬型端末から指向被管理装置までの距離が遠い場合に、管理情報送信手段が、可搬型端末が向けられている被管理装置を中心とする所定距離の範囲内に配置されている被管理装置も指向被管理装置とし、それら複数の被管理装置の管理情報を可搬型端末に送信するように構成することもできる。
【００１５】
さらに、
h) 前記可搬型端末に設けられ、前記管理情報送信手段から前記指向被管理装置に関する管理情報を受信すると、前記サーバの記憶部又は前記可搬型端末の記憶部に予め保存されている前記指向被管理装置の画像を読み出し、該画像と該指向被管理装置に関する管理情報とを重ね合わせて前記可搬型端末の画面上に表示させる被管理装置画像表示手段
を備えることが望ましい。
これにより、使用者は、管理情報送信手段から送信された被管理装置の管理情報が指向被管理装置に関する管理情報であることを確実に視認することができる。
【００１６】
本発明のさらに別の態様は、ネットワークに接続可能な可搬型端末を用いて、該ネットワークに接続された複数の被管理装置の状態を管理する装置管理方法であって、
a) 前記複数の被管理装置の位置情報を取得する装置位置情報取得ステップと、
b) 前記ネットワークに接続された状態にある前記可搬型端末の位置情報を取得する端末位置情報取得ステップと、
c) 前記ネットワークに接続された状態にある前記可搬型端末が向けられている方向に関する方向情報を取得する端末方向情報取得ステップと、
d) 前記複数の被管理装置の位置情報、前記可搬型端末の位置情報及び方向情報に基づき、前記可搬型端末が、前記複数の被管理装置のうちの、いずれかの被管理装置に向けられているか否かを判断する指向判断ステップと、
e) 前記指向判断ステップにおいて、前記可搬型端末が、前記複数の被管理装置のうちの、いずれかの被管理装置に向けられていると判断した場合に、該被管理装置を指向被管理装置とし、該指向被管理装置に関する管理情報を前記可搬型端末に送信する管理情報送信ステップと
を備えることを特徴とする。
【００１７】
本発明のさらに別の態様は、前記装置管理方法において、前記装置位置情報取得ステップ及び前記端末位置情報取得ステップに替えて、
前記複数の被管理装置と前記可搬型端末の相互位置情報を取得する相互位置情報取得ステップ
を備え、
指向判断ステップにおいて、前記相互位置情報、前記可搬型端末の方向情報に基づいて、前記可搬型端末が、前記複数の被管理装置のうちの、いずれかの被管理装置に向けられているか否かを判断する
ことを特徴とする。
【発明の効果】
【００１８】
本発明に係る装置管理システムでは、ネットワークに接続された状態にある可搬型端末が、複数の被管理装置のうちのいずれかの被管理装置に向けられていると指向判断手段が判断すると、管理情報送信手段はその被管理装置を指向被管理装置とし、該指向被管理装置に関する管理情報を可搬型端末に送信する。従って、使用者は、確認の対象とする被管理装置に可搬型端末を向けるという簡便な操作により、該可搬型端末上でその被管理装置の管理情報を確認することができる。また、本発明に係る装置管理方法においても、使用者は、同様の簡便な操作により、指向被管理装置に関する管理情報を確認することができる。また、本発明に係る装置管理システム及び装置管理方法を用いると、同一機種の被管理装置が複数設置されている場合でも、指向被管理装置に関する管理情報を容易に確認することが出来る。
【図面の簡単な説明】
【００１９】
【図１】本発明に係る装置管理システムの一実施例の全体構成を示す図。
【図２】本実施例の装置管理システムの動作を説明するためのフローチャート。
【図３】本実施例の装置管理システムにおいてスマートフォンの画面上に表示される管理情報等について説明する図。
【図４】本発明に係る装置管理システムの別の実施例の全体構成を示す図。
【図５】上記別の実施例の装置管理システムの動作を説明するためのフローチャート。
【発明を実施するための形態】
【００２０】
以下、本発明に係る装置管理システム及び装置管理方法の一実施例について、図１〜図３を参照して説明する。
【００２１】
図１は本実施例の装置管理システムの全体構成を示す図である。また、図２は本実施例の装置管理システムの動作を説明するためのフローチャートである。本実施例の装置管理システムは、スマートフォン１０、３つの無線受信機２１、２２、２３を有し三角測量によりスマートフォン１０の位置情報を取得する位置情報取得装置２０、サーバ３０、分析装置群４０（分析装置４１〜４５）から構成されている。分析装置４１〜４５は、それぞれ複数のコンポーネントを備えている。位置情報取得装置２０、サーバ３０、及び分析装置群４０はネットワークルータ（図示なし）を介して互いに無線ネットワークで接続されている。
【００２２】
スマートフォン１０には、後述する動作を実行する所定のアプリケーションが予めインストールされている。また、スマートフォン１０の水平方向の方位角を得るための方位センサ１１、及び鉛直方向に対する傾斜角を得るための加速度センサ１２が内蔵されている。さらに、スマートフォン１０は、後述する動作を実行する分析装置画像表示部１３を備えている。
サーバ３０には、分析装置４１〜４５に関する管理情報及び位置情報と、分析装置４１〜４５の画像データが予め保存された記憶部３１、スマートフォン１０の位置情報及び方向情報、並びに分析装置４１〜４５の位置情報に基づいて、スマートフォン１０が分析装置４１〜４５のいずれかに向けられているか否かを判断する指向判断部３２、及びスマートフォン１０が分析装置４１〜４５のいずれかに向けられていると指向判断部３２が判断した場合に、当該分析装置に関する管理情報をスマートフォン１０に送信する管理情報送信部３３を備えている。
指向判断部３２及び管理情報送信部３３は、サーバ３０において所定のプログラムが実行されることによりソフトウェア的に具現化される構成である。
【００２３】
使用者が所定の操作を行うことによりスマートフォン１０の前記所定のアプリケーションが起動されると、スマートフォン１０は上記無線ネットワークに接続される。スマートフォン１０が無線ネットワークに接続されたことを検知すると、位置情報取得装置２０は、無線受信機２１、２２、２３とスマートフォン１０の間で無線信号を送受信させてスマートフォン１０の位置を特定し、その位置情報をサーバ３０の指向判断部３２に送信する。また、スマートフォン１０に内蔵されている方位センサ１１及び加速度センサ１２が、スマートフォン１０の方向情報（水平方向の方位角及び鉛直方向に対する傾斜角）を取得し、該方向情報をサーバ３０の指向判断部３２に送信する（ステップS11）。
【００２４】
指向判断部３２は、スマートフォン１０の位置情報及び方向情報を受信すると、これらの情報と、予めサーバ３０の記憶部３１に保存されている分析装置４１〜４５の位置情報を照合する。そして、スマートフォン１０が分析装置４１〜４５のいずれかに向けられているか否かを判断する（ステップS12）。
【００２５】
スマートフォン１０が分析装置４１〜４５のいずれかに向けられていると指向判断部３２が判断すると、管理情報送信部３３が、当該分析装置に関する管理情報を記憶部３１から読み出し、無線ネットワークを通じてそれらをスマートフォン１０に送信する。なお、ここでいう管理情報には、分析装置の動作状況に関する情報のほか、消耗品交換情報、操作手順に関する情報、及びヘルプ情報も含まれる。また、分析装置４１のように、分析装置が複数のコンポーネント４１a、４１b、４１c、４１dを有している場合には、分析装置４１の管理情報には、各コンポーネントの詳細な管理情報（分析実行状況、交換品情報等）が含まれる。
【００２６】
管理情報送信部３３が、これらのうちのどの管理情報をスマートフォン１０に送信するかは、指向判断部３２の判断結果に応じて異なる。以下、スマートフォン１０が分析装置４１（又は、そのコンポーネント４１b）に向けられている場合を例に説明する。
【００２７】
指向判断部３２は、スマートフォンの位置情報及び方向情報と、分析装置４１の位置情報から、スマートフォン１０が分析装置４１に向けられていると判断すると同時に、スマートフォン１０と分析装置４１の間の距離を算出する（ステップS13）。そして、この距離が予め決められた距離以上であるか否かを判断する（ステップS14）。
この距離が予め決められた距離以上である場合には、管理情報送信部３３は、分析装置４１に関する管理情報（コンポーネント４１a、４１b、４１c、４１dの管理情報の概要（動作の正常、異常等））をスマートフォン１０に送信する（図３(a)、ステップS15a）。この場合、後述するステップS16において、スマートフォン１０の画面上では、要確認情報が含まれているコンポーネントの管理情報の横に「！」という印が表示され、使用者に確認を促す。一方、スマートフォン１０と分析装置４１の間の距離が上記の予め決められた距離以下である場合には、スマートフォン１０が分析装置４１が有するどのコンポーネントに向けられているかを判断し（本実施例ではコンポーネント４１b）、該コンポーネント４１bに関する、より詳細な管理情報をスマートフォン１０に送信する（図３(b)、ステップS15b）。この場合でも、より詳細な管理情報の中に、要確認情報が含まれている場合には、後述するステップS16において、スマートフォン１０の画面上で当該項目の横に「！」という印が表示され、使用者に確認を促す。
スマートフォン１０の分析装置画像表示部１３は、上記いずれかの管理情報を受信すると、サーバ３０の記憶部３１から当該分析装置（あるいはコンポーネント）の画像データを読み出し、該画像と上記管理装置に関する管理情報を重ね合わせて該スマートフォン１０の画面上に表示する（ステップS16）。
【００２８】
上記の実施例では、スマートフォン１０が無線発信機能を有し、無線受信機２１、２２、２３が該無線を受信する構成としたが、スマートフォン１０が無線受信機能を有し、３つの無線発信機から発信される無線を受信することにより三角測量を行う構成とすることもできる。また、上記実施例では無線を用いた三角測量によりスマートフォン１０の位置情報を取得するものとしたが、他の方法（超音波の送受信等）により三角測量を行ってスマートフォン１０の位置情報を取得するようにしてもよい。さらに、例えば屋外で使用する場合には、スマートフォン１０が有するGPS機能により、該スマートフォン１０の位置情報を取得するようにしてもよい。この場合には、スマートフォン１０自体が位置情報取得装置２０として機能する。
【００２９】
また、上記の実施例では、スマートフォン１０と分析装置（指向被管理装置）の間の距離に応じて、管理情報送信部３３が、１台の分析装置の管理情報及び画像データ、あるいは分析装置が有する１つのコンポーネントの管理情報及び画像データを送信するように構成したが、さらに両者の距離が離れている場合には、指向判断部３２が、スマートフォン１０が隣接して配置された複数の分析装置に向けられていると判断し、管理情報送信部３３が、スマートフォン１０が向けられている分析装置を中心とする所定距離の範囲内に配置されている分析装置も指向被管理装置とし、それら複数の分析装置の管理情報及び画像データを可搬型端末に送信するようにしてもよい。この場合には、スマートフォン１０の分析装置画像表示部１３は、複数の分析装置の管理情報を受信すると、サーバ３０の記憶部３１から該複数の分析装置（あるいはコンポーネント）の画像データを読み出し、該画像と上記管理装置に関する管理情報を重ね合わせてスマートフォン１０の画面上に表示する（ステップS16）。
【００３０】
次に、本発明に係る装置管理システムの別の実施例について、図４及び５を参照して説明する。上記実施例と同一の構成には同一の符号を付し、説明を省略する。
【００３１】
本実施例の装置管理システムでは、スマートフォン１０の位置情報を取得する位置情報取得装置２０を使用せず、分析装置４１〜４５とスマートフォン１０の相互位置情報を取得するモーションセンサ５０（相互位置情報取得装置）を用いる。モーションセンサ５０は、図４に示すように、分析装置群４０（分析装置４１〜４５）を視野内に捉えることができる位置に配置されている。モーションセンサ５０は、スマートフォン１０の加速度センサ１２により取得された情報と、モーションセンサ５０そのものにより取得した情報を統合し、分析装置４１〜４５とスマートフォン１０の位置の相互位置情報を取得して指向判断部３２に送信する。この実施例では、分析装置４１〜４５に関する位置情報をモーションセンサ５０により取得するため、サーバ３０の記憶部３１には、分析装置４１〜４５に関する位置情報は保存されておらず、管理情報及び画像データのみが保存されている。
【００３２】
本実施例の装置管理システムは、以下のように動作する。
使用者によりスマートフォン１０において前記所定のアプリケーションが起動されると、スマートフォン１０は上記無線ネットワークに接続される。スマートフォン１０が無線ネットワークに接続されると、モーションセンサ５０は、その視野にスマートフォン１０を保持している使用者と分析装置４１〜４５を捉える。そして、スマートフォン１０に内蔵されている加速度センサ１２により得られるスマートフォン１０の加速度値情報を用いて、視野内で使用者に保持されているスマートフォン１０の位置を特定する。そして、該スマートフォン１０と分析装置４１〜４５の相互位置情報を取得して、指向判断部３２に送信する（ステップS21）。また、スマートフォン１０に内蔵されている方位センサ１１及び加速度センサ１２が、スマートフォン１０の方向情報（水平方向の方位角及び鉛直方向に対する傾斜角）を取得し、該情報をサーバ３０の指向判断部３２に送信する（ステップS22）。
【００３３】
指向判断部３２は、上記相互位置情報及びスマートフォン１０の方向情報を受信すると、これらの情報に基づいて、スマートフォン１０が分析装置４１〜４５のいずれかに向けられているか否かを判断する（ステップS23）。
【００３４】
指向判断部３２は、スマートフォン１０が分析装置４１に向けられていると判断すると、スマートフォン１０と分析装置４１の間の距離を算出する（ステップS24）。そして、この距離が予め決められた距離以上であるか否かを判断する（ステップS25）。
この距離が予め決められた距離以上である場合には、管理情報送信部３３は、分析装置４１に関する管理情報をスマートフォン１０に送信する（ステップS26a）。一方、スマートフォン１０と分析装置４１の間の距離が上記の予め決められた距離以下である場合には、スマートフォン１０が分析装置４１が有するどのコンポーネントに向けられているかを判断し、該コンポーネントに関する詳細な管理情報をスマートフォン１０に送信する（ステップS26b）。
スマートフォン１０の分析装置画像表示部１３は、上記いずれかの管理情報を受信すると、サーバ３０の記憶部３１から当該分析装置（あるいはコンポーネント）の画像データを読み出し、該画像と上記管理装置に関する管理情報を重ね合わせてスマートフォン１０の画面上に表示する（ステップS27）。
【００３５】
本発明に係る装置管理システムのさらに別の実施例について説明する。この実施例では、分析装置４１〜４５とスマートフォン１０の相互位置情報を、モーションセンサ５０を使用せずに取得する。具体的には、サーバ３０の指向判断部３２が、使用者のスマートフォン１０のカメラ機能により撮影された画像を受信すると、これを解析して相互位置情報を取得する。相互位置情報の取得方法以外の構成や動作については、上記モーションセンサ５０を用いる実施例と同様である。また、将来的には可搬型端末自体にモーションセンサ機能が搭載されることが考えられる。こうした場合には、前記相互位置情報取得手段及び端末方向情報取得手段を可搬型端末とし、該可搬型端末が有するモーションセンサにより相互位置情報及び端末方向情報を取得するようにしてもよい。
【００３６】
上記実施例は一例であって、本願発明の趣旨に沿って適宜に変更することができる。
上記実施例では、サーバ３０の記憶部３１に分析装置の画像データを保存しておき、スマートフォン１０の分析装置画像表示部１３がこれを読み出す構成としたが、予めスマートフォン１０の記憶部に分析装置の画像データを保存しておき、スマートフォン１０の分析装置画像表示部１３がスマートフォン１０の記憶部から該画像を読み出すように構成してもよい。
上記実施例では、可搬型端末の一例としてスマートフォン１０を挙げたが、当然、可搬型端末として他のもの（可搬型PC、PDA、ウェアラブルディスプレイ等）を用いることができる。
上記実施例の装置管理システムでは分析装置を被管理装置としたが、分析装置のほかに試験装置等を含んでもよい。また、本発明に係る装置管理システムは、分析システムだけでなく、工場などのプラントにおいても同様に用いることができる。
また、分析装置等の被管理装置を管理する管理装置が存在する場合には、上記実施例で説明したサーバが有する機能を該管理装置に備えるように構成することができる。
さらに、上記複数の実施例において説明した構成を組み合わせることもできる。
【符号の説明】
【００３７】
１０…スマートフォン
１１…方位センサ
１２…加速度センサ
１３…分析装置画像表示部
２０…位置情報取得装置
２１、２２、２３…無線受信機
３０…サーバ
３１…記憶部
３２…指向判断部
３３…管理情報送信部
４０…分析装置群
４１…分析装置
４１a〜４１d…コンポーネント
５０…モーションセンサ
【図１】
2014202653.tif 000003
【図２】
2014202653.tif 000004
【図３】
2014202653.tif 000005
【図４】
2014202653.tif 000006
【図５】
2014202653.tif 000007